(57)【要約】      （修正有）【課題】剪定鋏は切断時に刃の切れ味が悪くなったり、切断用途が異なった際には、剪定鋏の刃、あるいは最適刃材質への交換を容易にし、かつ切断時に被切断物に新規なノコギリ刃の刃先が食込み、切断時に剪定鋏が切断物外周面での滑りを除去して、切断面を綺麗に、かつ効率よく切断できる剪定鋏を提供する。【解決手段】上側刃体１１と下側刃体１７を回動可能に一体に装着し、かつ上刃部１２と下刃部１７を上記刃体に着脱自在に固定した剪定鋏１０において、少なくとも下刃部１７の刃尻から刃先までの間が彎曲し、該彎曲に沿って各刃形の凸部が被切断物に食い込み、切断物との間に空隙が生ずることなく、該凸部の少なくとも側端面となる一側面が緩やかな斜面に形成したり、あるいは凸部の間隔を設けたノコギリ刃に形成した下刃部１７を構成した。【選択図】図１
0003151102.tif 000002
【実用新案登録請求の範囲】
【請求項１】
一対の上側，下側刃体の各先端側に上，下刃部、他端側に把持部を有し、該両刃体に設けた取付部で支持軸を介して回動可能に軸支した剪定鋏において、少なくとも下側刃体の先端側に設けた取付基部に着脱自在に装着した下刃部の刃尻から刃先までの間を彎曲に形成し、該彎曲に沿って滑り止め機能の凹，凸部を複数有するノコギリ刃を形成したこを特徴とする剪定鋏。
【請求項２】
前記下刃部の滑り止め機能を有する凸部の先端が鋭利な尖端で、該尖端の両側面が緩やかな斜面凹部とからあるノコギリ刃を彎曲に沿って設けたことを特徴とする請求項１記載の剪定鋏。
【請求項３】
前記下刃部の滑り止め機能を有する凸部の先端が鋭利な尖端で、該尖端の前記刃先に対する側面をほぼ直角に形成し、他端側面を緩やかな斜面からなる彎曲に形成した凹部とからなるノコギリ刃を彎曲に沿って設けたことを特徴とする請求項１又は２記載の剪定鋏。
【請求項４】
前記下刃部の滑り止め機能を有する凸部の先端をＲ状に、間隔を有して形成した凸部間の凹部を緩やかな彎曲としたノコギリ刃を彎曲に沿って設けたことを特徴とする請求項１から３記載のいずれかである剪定鋏。
【請求項５】
前記下刃部の滑り止め機能を有する凸部，及凹部を連続させ、凸部先端と凹部底端をＲ状に形成したノコギリ刃を彎曲に沿って設けたことを特徴とする請求項１記載の剪定鋏。
【考案の詳細な説明】
【技術分野】
【０００１】    本考案は、主に植物の茎や枝を剪定するに最適な剪定鋏に関する。
【技術的背景】
【０００２】    従来から、植物の茎や小枝などを剪定するための剪定鋏１が知られている。（特許文献１）。この剪定鋏１は図７（ａ）に示すように、刃部２ａおよび柄部５を一体的に形成された刃体２と、刃部３ａ及び柄部６を一体的に形成された刃体３と、支持軸４などから構成されていた。この刃体２，３にはそれぞれ軸孔が穿設され、この軸孔に支持軸４が支承されている。また、図示しないが受刃体の外側面に上縁が滑り止め機能を有する滑り止め片を固定した剪定鋏が知られている。（特許文献２）。さらに、１対の刃体の押切刃先、受切刃先のそれぞれの切断縁に押切鋸歯、受切鋸歯を設けた剪定鋏が開示されている。（特許文献３）。
【先行技術文献】
【特許文献】
【０００３】
【特許文献１】    特開２００５ー１３０８４６号公報
【特許文献２】    特開２００５−２５３３２９号公報
【特許文献３】    登録実用新案第３１３０４２５号公報
【考案の概要】
【考案が解決しようとする課題】
【０００４】    しかしながら、特許文献１に記載された剪定鋏１においては、使用頻度や被切断物の種類により刃部２ａ，３ａの刃の切れ味が悪くなると、被切断物を切断するために剪定鋏１に切断のため力を加えると、切断できずに刃部２ａ，３ａの刃が被切断物の表面を相対的に滑ってしまう課題があった。また、特許文献２に記載された剪定鋏は、受刃体の上縁に固定した滑り止め片は鋸歯形状で刃部先端から刃体取付け方向に向けた傾斜方向に突出するように形成したものであるが、鋸刃形状は被切断物に接触した際に受刃間に図７（ｂ）に拡大して示すような空隙イが生じ、被切断物ロが受刃ハ全体で受け台的機能を果すことができず、切断面を綺麗に、かつ効率的に切断できない欠点があった。【０００５】    さらに、特許文献３には、押切歯の下端縁の一部に押鋸歯を、受切刃の上端縁の一部に受鋸歯を設けた剪定鋏では、押切刃に鋸切りの機能を付加したものであり、歯は鋸歯そのものであり、しかも本体と各切刃とが一体に形成された構成のため切り味が劣化した際に押鋸歯、及び受鋸歯を全体に交換する必要があった。勿論、図７（ｂ）に示すような空隙イが生じ、被切断物ロが受刃全体で受け台機能を果すことができず、上記と同じような欠点もあった。
【課題を解決するための手段】
【０００６】    本考案は、このような欠点を除去するため、刃部の刃の切れ味が悪くなった場合、その刃部のみを切り味良い刃部と簡単に交換でき、かつ特殊形状のノコギリ刃の刃部に形成して被切断物の表面を滑ることなく、しかも被切断面を綺麗に、かつ効率よく切断できる剪定鋏を提供することである。
【考案の開示】
【課題を解決するための手段】
【０００７】    本考案に係る剪定鋏は、先端部に上刃部を有し、後端部に把手部を形成した上側刃体（押切刃体）と、先端部に下刃部を有し後端部に把手部を形成した下側刃体（受台刃体）とが支持軸によって互いに回転可能に軸支された剪定鋏において、前記上刃部、及び下刃部は、刃尻から刃先までの間を彎曲し、この彎曲に沿って上刃部、下刃部を交換可能に固定し、かつ少なくとも下刃部には新規な凹凸を繰り返す形状のノコギリ刃を形成したことを特徴とすることである。
【考案の効果】
【０００８】    本考案に係る剪定鋏は、下刃部の刃尻から刃先までの間が彎曲し、この彎曲に沿って各刃間に被切断物を挟持して切断する際に図７（ｂ）で示すような好ましくない空隙イが形成されることを除去した特殊形状のノコギリ刃を形成したため、被切断物を切断する際に、受台刃体の下刃尖端と被切断物間に隙間なく下刃尖端が食込み、これを押切刃体の上刃部が合致して押切る構造になり被切断物表面が上、及び下刃部で相対的に滑ることが無くなり、綺麗で効率良く確実に切断できる特徴がある。
また、上刃、又は下刃、若しくは両方の刃は、各刃体の取付部に着脱自在に締結具で軸支されているので被切断物の種類に応じてこれら両刃部、若しくは一方の刃部を任意に交換できる利点がある。
【図面の簡単な説明】
【０００９】
【図１】本考案の実施例に係る剪定鋏の閉じた状態を示す正面図である。
【図２】本考案の実施例に係る剪定鋏の開いた状態を示す正面図である。
【図３】図１及び図２に示す剪定鋏の上側刃体を示し、（ａ）は平面図、（ｂ）は正面図である。
【図４】図１及び図２に示す剪定鋏の下側刃体を示し、（ａ）は平面図、（ｂは正面図である。
【図５】図１及び図２に示す剪定鋏の上刃部、及び支持軸を示し、（ａ）図は上刃部を示す正面図、（ｂ）図は支持軸を示す平面図である。
【図６】本考案に係る剪定鋏の下側刃体に装着する各種の下刃部を示し、（ａ），（ｃ），（ｅ），及び（ｇ）は下刃部を示す正面図、（ｂ），（ｄ），（ｆ），及び（ｈ）はそのＡ部を拡大してして示す説明図である。
【図７】従来の剪定鋏を示し、（ａ）は正面図、（ｂ）は汎用の鋏のノコギリ刃の刃先部を抽出して示す説明図である。
【考案を実施するための形態】
【００１０】      以下に、図面を用いて本考案に係る剪定鋏の実施の形態について詳細に説明する。即ち、図１，及び図２は本考案に係る剪定鋏の一実施例である剪定鋏１０の閉じた状態と開いた状態を示す正面図であり、上側刃体（押切刃体）１１と、下側刃体（受台刃体）１６と、両刃体１１，１６の取付部１５，２０を介して一対にナット、座金などを介して支持される支持軸２１と、両刃体１１，１６とを開く方向へバネの弾力で開く開閉バネ２２等から構成する
なお、上側刃体１１，及び下側刃体１６の材質としては、ステンレス鋼に限らず、既存のステンレス綱等の鋼材、鉄材、合金材および刃物材として有用な材質で、焼き入れ等が可能な高級材質であればよい。さらに、開閉バネ２２にはスプリングバネに限らず、板バネ等を用いることもできる。
【００１１】      さらに詳しく説明すると、上側刃体（以下、単に上刃体という。）１１は、一端側に（図３において左側）に上刃部１２を取付けるための平坦な取付基部１３を設ける。この取付基部１３には、ネジ孔１３ａを穿設し、図示しない汎用の締結具で上刃体１１と上刃部１２とを一体に固定する。また、上刃体１１の他端側（図３において右側）には剪定鋏使用者が把持するための把持部１４を形成し、その少なくとも側面、または図示しないがその全外周面に把持部１４に沿って凹部１４ａと凸部１４ｂとを交互にほぼ等間隔で設け、剪定鋏１０の使用者が把持した際に滑り止めとして役立つものである。上記取付基部１３と把持部１４との間の中央部分に取付部１５を形成し、支持軸２１（図５（ｂ）参照）を支承するための軸孔１５ａを穿設する。
【００１２】        また、刃体１１において、軸孔１５ａより先端側の部分は、剪定鋏１０の閉じる方向が凸となるように彎曲している。
【００１３】      下側刃体（以下、単に下刃体という。）１６は、一端側に（図４において左側）に下刃部１７を取付けるための平坦な取付基部１８を設ける。取付基部１８には、ネジ孔１８ａを穿設し、図示しない汎用の締結具で下刃体１６と下刃部１７とを一体に固定する。また、下刃体１６の他端側（図４において右側）には剪定鋏使用者が把持するための把持部１９を形成し、その少なくとも側面、または図では全外周面に把持部１９に沿って凹部１９ａと凸部１９ｂとを交互にほぼ等間隔で設け、剪定鋏１０の使用者が把持した際に滑り止めとして役立つものである。上記取付基部１８と把持部１９との間の中央部分に取付部２０を形成し、支軸２１（図５（ｂ）参照）を支承するための軸孔２０ａを穿設する。
【００１４】      また、下刃体１６において、軸孔２０ａより先端側の部分は、剪定鋏１０の開く方向が凸となるように彎曲している。また、上，及び下刃体１１、１６のそれぞれの軸孔１５ａ、２０ａには支軸２１（図５（ｂ）参照）を貫装し上刃体１１と下刃体１６が互いに回動可能に装着されている。
【００１５】    さらに詳細に上刃部１２を説明すると、図５に示すように、ネジ孔１２ｃが複数個、例えば２個併設して穿設し、上刃部１２を安定に、かつ目的に応じて上、下、左、右のいずれの方向にも調節可能に装着する。また、上刃部１２は、その刃尻１２ａから刃先１２ｂまでの間が剪定鋏１０の閉じる方向に凸となるように彎曲している。この上刃部１２は図３の２点鎖線で示すように、ネジ等の締結具で上刃体１１の取付基部１３に一体に取付ける。
【００１６】    また、下刃部１７は図６（ａ），（ｃ），（ｅ），及び（ｇ）に示すようにネジ孔１７ｃが複数個、例えば２個併設して穿設し、下刃部１７を安定に、かつ目的に応じて上、下、左、右のいずれの方向にも調節可能に装着する。また、下刃部１７は、その刃尻１７ａから刃先１７ｂまでの間が彎曲し、かつこの彎曲部に図６（ａ）〜（ｇ）に示すような特殊な形状の凹凸部からなるノコギリ刃１７ｄを形成した構成としたものである。即ち、（ａ）は凸部１７ｅの先端を尖った形状とし、（ｂ）はそのＡ部を抽出拡大して示すものであり、その凸部１７ｅの斜面１７ｆを急斜面に彎曲し、さらにその末端から緩やかな斜面に彎曲した凹部１７ｇとを交互に形成した凸部１７ｅと凹部１７ｇを連続して適宜な間隔を置いて配置したノコギリ刃１７ｄを有する下刃部１７である。
【００１７】      また、（ｃ）は凸部１７ｅの先端を（ｄ）にそのＡ部を抽出拡大してし示すように凸部１７ｅの一側面を直角に、先端を鋭利な尖端とし、他端の側面のを緩やかな斜面１７ｆとし、かつ凸部１７ｅ間の凹部１７ｇは（ｄ）に示すように緩やかに傾斜して彎曲し、このような凹部１７ｇ，凸部１７ｅを交互に連続して適宜な間隔を設けた構成のノコギリ刃１７ｄを有する下刃部１７である。また、（ｅ）は凸部１７ｅ、凹部１７ｇは（ｆ）に抽出拡大して示すようにＲ状に連続して形成したノコギリ刃１７ｄからなる下刃部１７である。更に、（ｇ）は凹部１７ｇ、凸部１７ｅは（ｈ）に抽出拡大して示すように凸部１７ｅ間に間隔を有し、かつ凸部１７ｅはＲ状の形状であり、凸部１７ｅ間の凹部１７ｇは彎曲の延長線上の緩やかな斜面である。なお、この上刃部１７は図４の２点鎖線で示すように、ネジ等の締結具で下刃体１６の取付基部１８に一体に取付ける。
【考案の効果】
【００１８】      本考案に係る剪定鋏１０によれば、上側刃体１１、及び下側刃体１６に上刃部１２、及び下刃部１７を着脱自在に装着したため、上刃部１２、下刃部１７の切れ味が悪くなった際に容易に新品と交換でき、確実で、綺麗な切断面を効率よく維持できる利点がある。また、上刃部１２と下刃部１７は、被切断物に応じた材質で切断作業を行える特徴がある。さらに、少なくとも下刃部１７は刃尻１７ａから刃先１７ｂまでの間を彎曲し、この彎曲部に、例えば尖端をＲ状の凸部とし、凹部もほぼその反対のＲ状の刃形を連続的して形成したノコギリ刃のため被切断物と刃形間に被切断物が変形し切断時に刃形と被切断物間に空隙が形成されず、被切断物表面を滑ることなく挟持し、被切断物を切れ味良くスムーズに、切断面も綺麗で確実に効率よく切断できる特徴がある。
【００１９】    また、下刃部１７の凸部を鋭い尖端に形成して被切断物に深く突き刺さる滑り止め機能と、切断時に被切断物の変形を阻止する受台機能の谷的機能の斜面とを突起斜面間に連続的に交互に間隔を置いた刃抜け型のノコギリ刃に形成したため、被切断物の外周面が切断時に上刃部、下刃部間で滑ることなく、かつ被切断物が変形することが無く、切断面が綺麗で効率よく切断できる特徴がある。
【００２０】    さらに、凸部の一側面をほぼ直角状に形成し、先端を鋭い尖端とし、その他側端の斜面を緩やかな彎曲に形成した凹部と凸部刃形を連続的に設けたノコギリ刃では、切断時に被切断物外周目に凸部の尖端が下刃体を閉じる際にストッパ的に突き刺ささり、切断時に下刃部の滑り止め機能が強化され、かつ他斜面も切断時に被切断物の受台機能を刃体の閉じる動作と連動して切れ味が増し、切断断面を綺麗で、確実にスムーズに切断できる特徴がある。
【００２１】      以上説明したのは、本考案の一実施例にすぎず、上側刃体１１と下側刃体１６ににおいて、下刃部１７と同じ形状のノコギリ刃１７ｄを上刃部１１に設けたり、上側刃体１１と下側刃体１６の取付基部自体に上刃部１２、下刃部１７をそれぞれ形成することもできる。また、ノコギリ刃は図示した形状に限らず、この延長線の刃形やこれらを組み合わせた刃形のノコギリ刃に形成することもできる。
【産業上の利用可能性】
【００２２】    本考案に係る剪定鋏は、植物の剪定鋏に限らず、金切り鋏。食品切断の鋏などの他の用途の鋏にも適用できる。
【符号の説明】１０              剪定鋏
１１              上側刃体（押切刃体）
１２              上刃部
１２ａ            刃尻
１２ｂ            刃先
１３，１８        取付基部
１４，１９        把持部
１６              下側刃体（受台刃体）
１７              下刃部
１７ａ            刃尻
１７ｂ            刃先
１７ｄ            ノコギリ刃
【図１】
0003151102.tif 000003
【図２】
0003151102.tif 000004
【図３】
0003151102.tif 000005
【図４】
0003151102.tif 000006
【図５】
0003151102.tif 000007
【図６】
0003151102.tif 000008
【図７】
0003151102.tif 000009